(57)【要約】【課題】送信メール作成モード、受信メール表示モード、Ｗｅｂモード等の複数動作モードを有する携帯端末の表示器５の表示画面に、これ等の複数動作モードの各画面を分割表示する。【解決手段】  送信メール作成モード、受信メール表示モード、Ｗｅｂモード時に作成された送信メール画面９ａ、受信メール画面９ｂ、Ｗｅｂ画面９ｃをそれぞれの表示メモリ１７、１８、２４に記憶保持しておき、各表示メモリに記憶保持されている複数の画面を表示器の表示画面に分割表示する。  さらに、携帯端末本体１ａの裏面７に、動作モードを切換る機能と分割表示における表示面積比率の可変設定機能とが組込まれたレバー操作部８が取付けられている。【選択図】      図１
2007318423.tif 000002
【特許請求の範囲】
【請求項１】
携帯端末本体の上面に設けられた複数の制御キーと入力キーと、表示器と、入力キー操作に基づいて前記表示器の送信メール画面上で電子メールを作成して送信する送信メール作成モードと、受信した電子メールを前記表示器の受信メール画面上に表示する受信メール表示モードとを有する携帯端末において、
前記送信メール作成モード時に作成された送信メール画面を記憶する送信メール表示メモリと、
前記受信メール表示モード時に選択された受信メール画面を記憶する受信メール表示メモリと、
前記送信メール表示メモリに記憶された送信メール画面と前記受信メール表示メモリに記憶された受信メール画面とを前記表示器の表示画面に分割表示する分割表示手段と、
前記携帯端末本体の上面以外の位置に設けられ上面のキーと異なる指で同時に操作可能に、前記送信メール作成モードと前記受信メール表示モードとを切換るモード切換機能と前記表示画面における送信メール画面と受信メール画面との間の表示面積比率の可変設定機能とが組込まれた複合操作部と
を備えたことを特徴とする携帯端末。
【請求項２】
携帯端末本体の上面に設けられた複数の制御キーと入力キーと、表示器と、入力キー操作に基づいて前記表示器の送信メール画面上で電子メールを作成して送信する送信メール作成モードと、ＷｅｂサイトにアクセスしてＷｅｂ情報を得て前記表示器のＷｅｂ画面上に表示するＷｅｂモードとを有する携帯端末において、
前記送信メール作成モード時に作成された送信メール画面を記憶する送信メール表示メモリと、
前記Ｗｅｂモード時に作成されたＷｅｂ画面を記憶するＷｅｂ情報表示メモリと、
前記送信メール表示メモリに記憶された送信メール画面と前記Ｗｅｂ情報表示メモリに記憶されたＷｅｂ画面とを前記表示器の表示画面に分割表示する分割表示手段と、
前記携帯端末本体の上面以外の位置に設けられ上面のキーと異なる指で同時に操作できる、前記送信メール作成モードと前記Ｗｅｂモードとを切換るモード切換機能と前記表示画面における送信メール画面とＷｅｂ画面との間の表示面積比率の可変設定機能とが組込まれた複合操作部と
を備えたことを特徴とする携帯端末。
【請求項３】
携帯端末本体の上面に設けられた複数の制御キーと入力キーと、表示器と、入力キー操作に基づいて前記表示器の送信メール画面上で電子メールを作成して送信する送信メール作成モードと、受信した電子メールを前記表示器の受信メール画面上に表示する受信メール表示モードと、ＷｅｂサイトにアクセスしてＷｅｂ情報を得て前記表示器のＷｅｂ画面上に表示するＷｅｂモードとを有する携帯端末において、
前記送信メール作成モード時に作成された送信メール画面を記憶する送信メール表示メモリと、
前記受信メール表示モード時に選択された受信メール画面を記憶する受信メール表示メモリと、
前記Ｗｅｂモード時に作成されたＷｅｂ画面を記憶するＷｅｂ情報表示メモリと、
前記受信メール表示メモリに記憶された受信メール画面と前記送信メール表示メモリに記憶された送信メール画面と前記Ｗｅｂ情報表示メモリに記憶されたＷｅｂ画面とを前記表示器の表示画面に分割表示する分割表示手段と、
前記携帯端末本体の上面以外の位置に設けられ上面のキーと異なる指で同時に操作可能に、前記受信メール表示モードと前記送信メール作成モードと前記Ｗｅｂモードとを切換るモード切換機能と前記表示画面における受信メール画面と送信メール画面とＷｅｂ画面との間の表示面積比率の可変設定機能とが組込まれた複合操作部と
を備えたことを特徴とする携帯端末。
【請求項４】
前記表示器の表示画面に各モードに対応した複数の画面が分割表示された状態において、一つの画面における領域指定された部分を、他の画面における指定された位置へ複写する画面間複写手段を備えたことを特徴とする請求項１から３のいずれか１項記載の携帯端末。
【請求項５】
前記複合操作部は、前記表示器の長尺方向に移動可能でかつこの長尺方向に直交する直交面内に移動可能に設けられたレバーと、このレバーの移動を検出する移動検出部とからなるレバー操作部で構成され、前記直交面内におけるレバーの移動位置の切換操作で前記モードを切換え、前記レバーの長尺方向の移動操作で、前記表示画面の長尺方向に分割表示された各画面の境界を前記長尺方向に移動させることを特徴とする請求項１から４のいずれか１項記載の携帯端末。
【発明の詳細な説明】
【技術分野】
【０００１】
本発明は、通常の通話機能の他に電子メールの送受信機能等を含む複数の機能を有した携帯端末に係わり、特に、表示器の表示内容の切換を効率的に行う携帯端末に関する。
【背景技術】
【０００２】
近年、例えば最近の携帯電話等のように、通常の通話機能の他に電子メールの送信機能、電子メールの受信機能、ＷｅｂサイトのＷｅｂ検索機能、写真撮影機能等の複数の機能が組込まれている携帯端末が実用化されている。
【０００３】
このような携帯端末においては、この携帯端末の操作者が上述した複数の機能を同時に使用することはないので、上述した各機能に対してそれぞれ動作モードを割当て、携帯端末本体の上面に設けられたモード選択キーで、目的の動作モードを起動させるようにしている。そして、例えば、電子メールの「送信メール作成モード」を選択すると、表示器の表示画面上に「送信メール画面」が表示される。操作者は、テンキーとカーソルキーとの組合せキー操作で送信すべき文字を入力して「送信メール画面」に書込んで行く。送信メール画面上で送信文の作成が終了すると、送信キー操作を行うと、作成された文書が電子メールとして送信され、「送信メール作成モード」は終了する。
【０００４】
このように、操作者は、自己が必要とする各「動作モード」をその都度、起動・実行・終了を繰り返す。
【０００５】
この場合、「送信メール作成モード」が終了すると、「受信メール表示モード」に自動的に切替わり、表示器の表示画面上に「受信メール画面」が表示され、受信メールの受信待ち状態に移行するように、予めプログラム設定されている携帯端末も実用化されている。
【０００６】
このように、複数の「動作モード」を実現できる携帯端末において、例えば、操作者が受信した受信メールを参照して、送信メールを作成する場合においては、受信メールを引用して作成することはできるが、一旦削除してしまった原メールの部分を参照し直すためには、動作モードを一旦「受信メール表示モード」に戻して、表示画面に受信メールを表示させて、この受信メールを別途テキスト複写領域に複写し、動作モードを「送信メール作成モード」に変更して、送信メールに貼り付ける必要がある。したがって、操作者にとって非常に煩わしい。
【０００７】
特許文献１で提唱された携帯型電話機においては、互いに独立した２台の表示器を組込み、かつ、複数の機能を同時実施可能としている。そして、受信メールを見ながら送信メールの作成操作中に通話モードの着信が発生したとしても、操作者は通話を行いながら送信メールの作成作業を継続できる。
【０００８】
一方、特許文献２で提唱された携帯端末においては、ブラウザ（Ｗｅｂ検索）モードと電子メール（送信）モードの切換を実現し、メール作成中にＷｅｂページ（Ｗｅｂアクセス結果）の内容を、モード切換キーのキー操作で、簡単に参照できるようにしている。
【特許文献１】特開２００２−１７１３１７号公報
【特許文献２】特開２００２−１５２３２８号公報
【発明の開示】
【発明が解決しようとする課題】
【０００９】
しかしながら、上述した特許文献１で提唱された携帯型電話機においては、独立した２台の表示器が設けられ、同時に複数の動作モードを動作可能としているので、携帯型電話機自体が大型化し、複雑化し、さらに製造費が大幅に上昇する。したがって、実用的でない。
【００１０】
また、特許文献２で提唱された携帯端末においては、モード切換キーを携帯端末本体の前面に設け、表示器の表示画面を、送信メール画面又はＷｅｂ画面に切換る操作を実施する。したがって、受信メールを参照しながら返信（送信）メールを作成できない。
【００１１】
したがって、前述した、表示画面に受信メールを表示させて、この受信メールを別途テキスト複写領域に複写し、動作モードを「送信メール作成モード」に変更して、送信メールに貼り付けることに起因する、操作者の煩雑さが増したり、操作者の記憶に頼るという根本的な問題点は解決していない。さらに、モード切換キーも他のキーと並んで携帯端末本体の前面に配置されているため、操作が複雑になることは避けられない。
【００１２】
本発明はこのような事情に鑑みてなされたものであり、受信メール等の他の動作モードで作成された情報を表示器の表示画面上で確認しながら同一表示画面上で送信メール作成等の他の動作モードの作業を実施でき、さらに操作性を大幅に向上できる携帯端末を提供することを目的とする。
【課題を解決するための手段】
【００１３】
上記課題を解決するために、本発明は、携帯端末本体の上面に設けられた複数の制御キーと入力キーと、表示器と、入力キー操作に基づいて表示器の送信メール画面上で電子メールを作成して送信する送信メール作成モードと、受信した電子メールを表示器の受信メール画面上に表示する受信メール表示モードとを有する携帯端末において、
送信メール作成モード時に作成された送信メール画面を記憶する送信メール表示メモリと、受信メール表示モード時に選択された受信メール画面を記憶する受信メール表示メモリと、送信メール表示メモリに記憶された送信メール画面と受信メール表示メモリに記憶された受信メール画面とを表示器の表示画面に分割表示する分割表示手段と、携帯端末本体の上面以外の位置に設けられ上面のキーと異なる指で同時に操作可能に、送信メール作成モードと受信メール表示モードとを切換るモード切換機能と表示画面における送信メール画面と受信メール画面との間の表示面積比率の可変設定機能とが組込まれた複合操作部とを備えている。
【００１４】
このように構成された携帯端末においは、複合操作部におけるモード切換機能で設定された状態時に表示画面上に作成された各動作モードの画面は、たとえ当該動作モードが他の動作モードに切換られたとしても表示メモリに記憶保持されている。
【００１５】
そして、記憶保持された複数の画面は表示器の表示画面に分割表示される。したがって、動作モードを送信メール作成モードに切換設定することによって、先の受信メールを参照しながら送信メールの作成が可能となる。さらに、複合操作部の可変設定機能で受信メール画面と送信メール画面との表示面積比率を任意に設定可能であるので、操作性をより一層向上できる。
【００１６】
また、別の発明においては、携帯端末本体の上面に設けられた複数の制御キーと入力キーと、表示器と、入力キー操作に基づいて表示器の送信メール画面上で電子メールを作成して送信する送信メール作成モードと、ＷｅｂサイトにアクセスしてＷｅｂ情報を得て前記表示器のＷｅｂ画面上に表示するＷｅｂモードとを有する携帯端末において、
送信メール作成モード時に作成された送信メール画面を記憶する送信メール表示メモリと、Ｗｅｂモード時に作成されたＷｅｂ画面を記憶するＷｅｂ情報表示メモリと、送信メール表示メモリに記憶された送信メール画面とＷｅｂ情報表示メモリに記憶されたＷｅｂ画面とを表示器の表示画面に分割表示する分割表示手段と、携帯端末本体の上面以外の位置に設けられ上面のキーと異なる指で同時に操作できる、送信メール作成モードとＷｅｂモードとを切換るモード切換機能と表示画面における送信メール画面とＷｅｂ画面との間の表示面積比率の可変設定機能とが組込まれた複合操作部とを備えている。
【００１７】
このように構成された携帯端末においては、記憶保持されている複数の画面（送信メール画面、Ｗｅｂ画面）は表示器の表示画面に分割表示される。したがって、動作モードを送信メール作成モードに切換設定することによって、先に検索されたＷｅｂ画面を参照しながら送信メールの作成が可能となる。さらに、複合操作部の可変設定機能でＷｅｂ画面と送信メール画面との表示面積比率を任意に設定可能であるので、操作性をより一層向上できる。
【００１８】
さらに、別の発明においては、携帯端末本体の上面に設けられた複数の制御キーと入力キーと、表示器と、入力キー操作に基づいて表示器の送信メール画面上で電子メールを作成して送信する送信メール作成モードと、受信した電子メールを表示器の受信メール画面上に表示する受信メール表示モードと、ＷｅｂサイトにアクセスしてＷｅｂ情報を得て表示器のＷｅｂ画面上に表示するＷｅｂモードとを有する携帯端末において、
送信メール作成モード時に作成された送信メール画面を記憶する送信メール表示メモリと、受信メール表示モード時に選択された受信メール画面を記憶する受信メール表示メモリと、Ｗｅｂモード時に作成されたＷｅｂ画面を記憶するＷｅｂ情報表示メモリと、受信メール表示メモリに記憶された受信メール画面と送信メール表示メモリに記憶された送信メール画面とＷｅｂ情報表示メモリに記憶されたＷｅｂ画面とを表示器の表示画面に分割表示する分割表示手段と、携帯端末本体の上面以外の位置に設けられ上面のキーと異なる指で同時に操作可能に、受信メール表示モードと送信メール作成モードとＷｅｂモードとを切換るモード切換機能と表示画面における受信メール画面と送信メール画面とＷｅｂ画面との間の表示面積比率の可変設定機能とが組込まれた複合操作部とを備えている。
【００１９】
このように構成された携帯端末においては、記憶保持されている複数の画面（送信メール画面、受信メール画面、Ｗｅｂ画面）は表示器の表示画面に分割表示される。したがって、動作モードを送信メール作成モードに切換設定することによって、先に受信された受信メール画面、先に検索されたＷｅｂ画面を参照しながら送信メールの作成が可能となる。さらに、複合操作部の可変設定機能で受信メール画面、Ｗｅｂ画面と送信メール画面との表示面積比率を任意に設定可能であるので、操作性をより一層向上できる。
【００２０】
さらに、別の発明においては、表示器の表示画面に各モードに対応した複数の画面が分割表示された状態において、一つの画面における領域指定された部分を、他の画面における指定された位置へ複写する画面間複写手段を備えている。
【００２１】
このように構成された携帯端末においては、例えば、送信メールを作成している過程で、先に受信された受信メール画面、先に検索されたＷｅｂ画面の一部を、作成中の電子メールにそのまま転用できる。したがって、操作性をより一層向上できる。
【００２２】
さらに、別の発明においては、複合操作部は、表示器の長尺方向に移動可能にかつこの長尺方向に直交する直交面内に移動可能に設けられたレバーと、このレバーの移動を検出する移動検出部とからなるレバー操作部で構成され、直交面内におけるレバーの移動位置の切換操作でモードを切換え、レバーの長尺方向の移動操作で、表示画面の長尺方向に分割表示された各画面の境界を長尺方向に移動させる。
【００２３】
このような複合操作部においては、レバーを表示器の長尺方向に移動させると、表示画面の長尺方向に分割表示された各画面の境界が長尺方向に移動し、レバーを直交面内で移動させると、動作モードが切換るので、操作性をさらに向上できる。
【発明の効果】
【００２４】
本発明においては、表示器の表示画面に対して、記憶保持された複数の画面が表示器の表示画面に分割表示される。したがって、例えば、動作モードを送信メール作成モードに切換設定することによって、先の受信メールやＷｅｂ検索情報を参照しながら送信メールの作成が可能となる。
【発明を実施するための最良の形態】
【００２５】
以下、本発明の各実施形態を図面を用いて説明する。
【００２６】
（第１実施形態）
図１は本発明の第１実施形態に係わる携帯端末を示す図であり、図ｌ（ａ）は外観図、図１（ｂ）は背面図、図１（ｃ）は側面図である。
【００２７】
この第１実施形態の携帯端末１は、携帯端末本体１ａと、この携帯端末本体１ａにヒンジ１ｂを介して接続され携帯端末本体１ａの上面を覆うカバー１ｃとで構成されている。携帯端末本体１ａの上面にテンキー等の数値や文字を入力するための複数の入力キー２、カーソルキーや通話キーや複写キーや送信キーを含む複数のファンクションキー３、音声を入力するためのマイク４等が配設されている。また、カバー１ｃの内面には表示器５、スピーカ６が取付けられている。図１（ａ）の状態においては、表示器５の表示画面には、送信メール画面９ａと受信メール画面９ｂが境界線１０を介して長尺方向に分割表示されている。
【００２８】
携帯端末本体１ａの裏面７には、図１（ｂ）に示すように、レバー操作部８が設けられている。表示器５の長尺方向に形成された溝８ａ内を移動可能にレバー８ｂが設けられている。このレバー８ｂの長尺方向の移動位置は図示しない位置検出器８ｃで検出される。位置検出器８ｃで検出されたレバー８ｂの長尺方向の移動位置に対応して表示器５における境界線１０が長尺方向に移動する。
【００２９】
さらに、このレバー８ｂは、携帯端末１の動作モードの切換機能を有する。すなわち、このレバー８ｂは溝８ａ内の移動方向に直交する方向に移動可能である。移動状態は図示しない接点８ｄで検出される。すなわち、図１（ｃ）の破線で示す、この切換レバー８ｂを裏面７に対して押込んだ状態では、接点８ｄが閉じて、携帯端末１の動作モードが「受信メール表示モード」となる。また、図１（ｃ）の実線で示す、レバー８ｂが押込み状態を解除された状態では、接点８ｄが開放して動作モードが「送信メール作成モード」となる。
【００３０】
図２は、携帯端末１の概略構成を示すブロック構成図である。コンピュータからなる制御装置１１内には、通話部１３、動作モード切換部１４、送信メール作成部１５、受信メール処理部１６、送信メール表示メモリ１７、受信メール表示メモリ１８、表示制御部１９．境界線移動制御部２０、画面間表示情報複写部２１等が設けられている。
【００３１】
この第１実施形態の携帯端末１においては、動作モードとして前述した「送信メール作成モード」、「受信メール表示モード」の他に少なくとも「通話モード」が選択可能である。
【００３２】
送信メール表示メモリ１７内には、「送信メール作成モード」実行期間中に表示器５の表示画面の送信メール画面９ａ上で作成された送信メールを含む図１（ａ）で説明した送信メール画面９ａが記憶されている。また、受信メール表示メモリ１６内には、「受信メール表示モード」実行期間中に受信されて表示器５の表示画面の受信メール画面９ｂ上に書込まれた受信メールを含む図１（ａ）で説明した受信メール画面９ｂが記憶されている。
【００３３】
通話部１３には、マイク４及びスピーカ６が接続されており、送受信部１２、基地局を介して、通話先の携帯端末や一般の固定電話と通話回線を形成して音声通話を実行する。動作モード選択部１４は、前述した、携帯端末本体１ａの裏面７に設けられた、レバー操作部８の接点８ｄの開閉状態を監視し、接点８ｄが閉じると、受信メール表示モードを選択して、受信メール処理部１６を起動する。また、接点８ｄが開放されると、送信メール作成モードを選択して、送信メール作成部１５を起動する。
【００３４】
受信メール処理部１６は、起動されると、既受信メールを表示できる状態となる。表示する既受信メールを選ぶと、この受信メールを受信メール表示メモリ１８内の受信メール画面９ｂに書込む。
【００３５】
送信メール作成部１５は、起動されると、表示器５に送信メール画面９ａが表示された状態において、操作者が行う入力キー２のテンキーとカーソルキーとの組合せキー操作で送信すべき文字が入力されるに従い、送信メール画面９ａに書込んで行く。送信メール画面９ａ上で送信メールの作成が終了し、ファンクションキー３の送信キーが押されると、作成された文書が電子メールとして送信される。なお、作成された送信メールが記載された送信メール画面９ａは逐次送信メール表示メモリ１８に書込まれる。
【００３６】
表示制御部１９は、図１（ａ）に示すように、送信メール表示メモリ１４に記憶された送信メール画面９ａと受信メール表示メモリ１８に記憶された受信メール画面９ｂとを表示器５の表示画面に境界線１０を挟んで分割表示する。
【００３７】
境界線移動制御部２０は、レバー操作部８の位置検出部８ｃで検出された、レバー８ｂの長尺方向の移動位置に対応して、送信メール画面９ａと受信メール画面９ｂとの境界線１０の長尺方向位置を移動する。レバー８ｂを上方へ移動させると、境界線１０も上方へ移動する。境界線１０が移動すると、表示画面における送信メール画面９ａと受信メール画面９ｂとの間の表示面積比率Ｒが変わる。
【００３８】
画面間表示情報複写部２１は、表示器５の表示画面に送信メール画面９ａと受信メール画面９ｂとが分割表示された状態において、ファンクションキー３の組合せキー操作で指定された受信メール画面９ｂ内の領域の部分を、送信メール画面９ａの同じく指定された位置へ複写する。
【００３９】
図３、図４は、この第１実施形態の携帯端末１が行う表示器５に対する表示切換処理を示す流れ図である。レバー操作部８のレバー８ｂが押し下げ（押し込み）されると（ステップＳ１）、「送信メール作成モード」を解除して（ステップＳ２）、「受信メール表示モード」を設定する（ステップＳ３）。さらに、レバー操作部８のレバー８ｂが押し下げ（押し込み）が解除されると（ステップＳ４）、「受信メール表示モード」を解除して（ステップＳ５）、「送信メール作成モード」を設定する（ステップＳ６）。
【００４０】
入力キー２にて、文字入力があると（ステップＳ７）、「送信メール作成モード」が設定されていることを確認の後（ステップＳ８）、送信メール表示メモリ１７へ書込む（ステップＳ９）。
【００４１】
次に、レバー操作部８の移動位置を検出して（ステップＳ１０）、上端の場合（ステップＳ１１）、境界線１０も表示画面の上端に移動するので、図５（ａ）に示すように、表示器５には、受信メール画面９ｂのみが表示される（ステップＳ１２）。また、下端の場合（ステップＳ１３）、境界線１０も表示画面の下端に移動するので、図５（ｂ）に示すように、表示器５には、送信メール画面９ａのみが表示される（ステップＳ１４）。
【００４２】
また、図１（ｂ）に示すように、中間位置の場合（ステップＳ１５）、図１（ａ）、図５（ｃ）に示すように、境界線１０を境に、上側に送信メール画面９ａが表示され、下側に受信メール画面９ｂが分割表示される（ステップＳ１６）。
【００４３】
そして、レバー位置が移動すると（ステップＳ１７）、図５（ｄ）に示すように、境界線１０を同一方向に移動させる（ステップＳ１８）。
【００４４】
次に、例えば、図６（ａ）に示すように、表示器５の表示画面に送信メール画面９ａと受信メール画面９ｂとが分割表示された状態において、ファンクションキー３の複写キーが操作されると（ステップＳ１９）、複写元の画面の動作モードをレバー操作部８のモード切換操作で起動して（ステップＳ２０）、図６（ｂ）に示すように、複写元の画面における複写すべき領域２２ａをファンクションキー３の組合せキー操作で指定する（ステップＳ２１）。
【００４５】
次に、複写先の画面の動作モードをレバー操作部８のモード切換操作で起動して（ステップＳ２２）、図６（ｃ）に示すように、複写先の画面における複写すべき位置２２ｂをファンクションキー３の組合せキー操作で指定する（ステップＳ２３）。そして、図６（ｄ）に示すように、複写先の画面における複写すべき位置２２ｂに複写元の画面の指定された領域２２ａの情報を書込む（ステップＳ２４）。
【００４６】
このように構成された第１実施形態の携帯端末においては、携帯端末本体１ａの裏面７に設けられたレバー操作部８におけるレバー８ｂの押込み操作、押込み解除操作のモード切換操作で、モード設定された状態時に表示器５の表示画面上に作成された送信メール画面９ａ、受信メール画面９ｂは、たとえ当該動作モードが他の動作モードに切換られたとしても送信メール表示メモリ１５、受信メール表示メモリ１６に記憶保持されている。
【００４７】
そして、記憶保持された送信メール画面９ａ、受信メール画面９ｂは表示器５の表示画面に分割表示される。したがって、動作モードを送信メール作成モードに切換設定することによって、先の受信メールを同一表示画面上で、参照しながら送信メールの作成が可能となる。
【００４８】
さらに、レバー操作部８におけるレバー８ｂの位置を長尺方向に移動させることによって、図５（ｄ）に示すように、受信メール画面９ｂと送信メール画面９ａとの表示面積比率Ｒを任意に設定可能であるので、操作性をより一層向上できる。
【００４９】
さらに、例えば、表示器５の送信メール画面９ａで電子メールを作成している過程で、先に受信された受信メール画面９ｂの一部を、送信メール画面９ａに複写できるので、作成中の電子メールにそのまま転用できる。したがって、操作性をより一層向上できる。
【００５０】
また、携帯端末本体１ａの裏面７の中央に設けられたレバー操作部８で動作モードの切換と、表示器５の表示内容の選択及び表示面積比率Ｒの変更を実施している。したがって、携帯端末１を左右どちらの手で使う利用者に対しても、平等に上述した効果を得ることができる。さらに、レバー操作部８を人差指などで操作しながら、親指で入力キー２を同時に操作することができ、受信メールと作成メールの切換を容易に行いながら、それぞれの操作をすることができる。
【００５１】
（第２実施形態）
図７は本発明の第２実施形態に係わる携帯端末の概略構成を示すブロック図である。図２に示す第１実施形態の携帯端末と同一部分には、同一符号を付して、重複する部分の詳細説明は省略する。
【００５２】
この第２実施形態の携帯端末においては、動作モードとして前述した「送信メール作成モード」、「受信メール表示モード」、「通話モード」における「受信メール表示モード」を「Ｗｅｂモード」に置換えている。したがって、この第２実施形態の携帯端末においては、少なくとも「送信メール作成モード」、「Ｗｅｂモード」、「通話モード」が選択可能である。
【００５３】
したがって、制御装置１１ａ内には、Ｗｅｂアクセス部２３、Ｗｅｂ情報表示メモリ２４ｂが設けられている。また、レバー操作部８において、レバー８ｂが押込まれると、接点８ｄが閉じ、「Ｗｅｂモード」となる。
【００５４】
動作モード選択部１４ａは、レバー操作部８の接点８ｄの開閉状態を監視し、接点８ｄが閉じると、Ｗｅｂモードを選択して、Ｗｅｂアクセス部２３を起動する。また、接点８ｄが開放されると、送信メール作成モードを選択して、送信メール作成部１５を起動する。
【００５５】
Ｗｅｂアクセス部２３は、起動されると、送受信部１２を介して外部のＷｅｂサイトをアクセスして、その内容を保持し、図８に示す表示器５のＷｅｂ画面９ｃに書込む。さらに、Ｗｅｂアクセス結果が書込まれたＷｅｂ画面９ｃは、Ｗｅｂ情報表示メモリ２４に書込まれる。
【００５６】
表示制御部１９は、図８に示すように、送信メール表示メモリ１４に記憶された送信メール画面９ａとＷｅｂ情報表示メモリ２４に書込まれＷｅｂ画面９ｃとを表示器５の表示画面に境界線１０を挟んで分割表示する。
【００５７】
このように構成された第２実施形態の携帯端末の表示切換装置においても、携帯端末本体１ａの裏面７に設けられたレバー操作部８におけるレバー８ｂの押込み操作、押込み解除操作のモード切換操作で、モード設定された状態時に表示器５の表示画面上に作成された送信メール画面９ａ、Ｗｅｂ画面９ｃは、表示器５の表示画面に分割表示される。したがって、動作モードを送信メール作成モードに切換設定することによって、先のＷｅｂ検索情報を同一表示画面上で、参照しながら送信メールの作成が可能となる。
【００５８】
（第３実施形態）
図９は本発明の第３実施形態に係わる携帯端末を示す図であり、図９（ａ）は外観図、図９（ｂ）は背面図、図９（ｃ）は側面図、図９（ｄ）は詳細構成図である。図１に示す第１実施形態の携帯端末と同一部分には同一符号得を付して、重複する部分の詳細説明を省略する。
【００５９】
この第３実施形態の携帯端末１においては、携帯端末本体１ａの裏面７には、図９（ｂ）に示すように、レバー操作部８が設けられている。表示器５の長尺方向に形成された溝８ａ内を移動可能なレバー８ｅが設けられている。このレバー８ｅの長尺方向の移動位置は図９（ｄ）の部分断面図に示すように、溝８ａ内に収納された位置検出器８ｃで検出される。位置検出器８ｃで検出されたレバー８ｅの長尺方向の移動位置に対応して表示器５における各境界線１０ａ、１０ｂが長尺方向に移動する。
【００６０】
さらに、このレバー８ｅは、携帯端末１の動作モードの切換機能を有する。すなわち、このレバー８ｅは溝８ａ内の移動方向に直交する面内において、図９（ｄ）に示すように、「左方向」、「中央方向」、「右方向」の３方向に倒すことが可能である。この３種類の傾斜状態は、３点スイッチ８ｆで検出される。
【００６１】
具体的には、図９（ｄ）において、レバー８ｅを「左方向」に倒した状態で、３点スイッチ８ｆから、動作モード切換部１４ａに「受信メール表示モード」が送信される。レバー８ｅを「中央方向」に戻した状態で、３点スイッチ８ｆから動作モード切換部１４ａに「送信メール作成モード」が送信される。さらに、レバー８ｅを「右方向」に倒した状態で、３点スイッチ８ｆから、動作モード切換部１４ａに「Ｗｅｂモード」が送信される。
【００６２】
図１０は、この第３実施形態に係わる携帯端末の概略構成を示すブロック図である。図２、図７に示す第１、第２実施形態の携帯端末と同一部分には、同一符号を付して、重複する部分の詳細説明は省略する。
【００６３】
この第３実施形態の携帯端末においては、少なくとも「通話モード」、「受信メール表示モード」、「送信メール作成モード」、「Ｗｅｂモード」が選択可能である。動作モード切換部１４ａは、前述したように、レバー操作部８の３点スイッチ８ｆから「受信メール表示モード」、「送信メール作成モード」、「Ｗｅｂモード」が送信されて来ると、それぞれ、対応した、受信メール処理部１６、送信メール作成部１５、Ｗｅｂアクセス部２３を起動する。
【００６４】
表示制御部１９ａは、図９（ａ）、図１３（ａ）に示すように、受信メール表示メモリ１８に記憶された受信メール画面９ｂと、送信メール表示メモリ１４に記憶された送信メール画面９ａと、Ｗｅｂ情報表示メモリ２４に記憶されたＷｅｂ画面９ｃとを、表示器５の表示画面に、各境界線１０ａ、１０ｂを挟んで分割表示する。
【００６５】
境界線移動制御部２０ａは、レバー操作部８の位置検出部８ｃで検出された、レバー８ｅの長尺方向の移動位置と、そのときの３点スイッチ８ｆで検出されている動作モードに応じて、受信メール画面９ｂと送信メール画面９ａとの境界線１０ａ、送信メール画面９ａとＷｅｂ画面９ｃとの境界線１０ｂの長尺方向位置を移動する。
【００６６】
「受信メール表示モード」時にレバー８ｅを移動させると、図１３（ｂ）に示すように、受信メール画面９ｂと送信メール画面９ａとの境界線１０ａのみがレバー８ｅと同一方向に移動する。「Ｗｅｂモード」時にレバー８ｅを移動させると、図１３（ｃ）に示すように、送信メール画面９ａとＷｅｂ画面９ｃの境界線１０ｂのみがレバー８ｅと同一方向に移動する。なお、「送信メール作成モード」時にレバー８ｅを移動させても、境界線１０ａ、１０ｂは移動しない。
【００６７】
このように、各境界線１０ａ、１０ｂを表示画面上で独立して個別に移動制御できるので、例えば、境界線１０ａを上端位置へ、境界線１０ｂを下端位置へ移動させることにより、表示器５の表示画面に送信メール画面９ａのみを表示させることができる。さらに、両方の境界線１０ａ、１０ｂを下端位置へ移動させることにより、表示器５の表示画面に受信メール画面９ｂのみを表示させることができる。
【００６８】
同様に、両方の境界線１０ａ、１０ｂを上端位置へ移動させることにより、表示器５の表示画面にＷｅｂ画面９ｃのみを表示させることができる。また、両方の境界線１０ａ、１０ｂの位置を一致させることによって、表示器５の表示画面に受信メール画面９ｂとＷｅｂ画面９ｃとを表示させることができる。すなわち、表示画面に各画面９ａ、９ｂ、９ｃを種々に組合せて表示可能である。
【００６９】
図１１、図１２は、この第３実施形態の携帯端末１が行う表示器５に対する表示切換処理を示す流れ図である。レバー操作部８のレバー８ｅが左へ傾けられると（ステップＱ１）、「送信メール作成モード」、「Ｗｅｂモード」を解除して（ステップＱ２）、「受信メール表示モード」を設定する（ステップＱ３）。さらに、レバー操作部８のレバー８ｅが中央位置の場合（ステップＱ４）、「受信メール表示モード」、「Ｗｅｂモード」を解除して（ステップＱ５）、「送信メール作成モード」を設定する（ステップＱ６）。
【００７０】
レバー操作部８のレバー８ｅが右へ傾けられると（ステップＱ７）、「送信メール作成モード」、「受信メール表示モード」を解除して（ステップＱ８）、「Ｗｅｂモード」を設定する（ステップＱ９）。そして送受信部１２を介してポータルＷｅｂサイトをアクセスして（ステップＱ１０）。受信したＷｅｂ画面９ｃを表示器５に表示するとともに、Ｗｅｂ情報表示メモリ２４に書込む（ステップＱ１１）。
【００７１】
入力キー２にて、文字入力があると（ステップＱ１２）、「送信メール作成モード」が設定されていれば（ステップＱ１３）、送信メール表示メモリ１７へ書込む（ステップＱ１４）。「Ｗｅｂモード」が設定されていれば（ステップＱ１５）、Ｗｅｂ情報表示メモリ２４に書込む。なお、ＵＲＬの場合は該当Ｗｅｂサイトにアクセスする（ステップＱ１６）。
【００７２】
図１２において、レバー操作部８のレバー８ｅが移動すると（ステップＱ１７）、この時点で「受信メール表示モード」の場合（ステップＱ１８）、図１３（ｂ）に示すように、受信メール画面９ｂと送信メール画面９ａとの境界線１０ａのみをレバー８ｅと同一方向に移動させる（ステップＱ１９）。「Ｗｅｂモード」の場合（ステップＱ２０）、図１３（ｃ）に示すように、送信メール画面９ａとＷｅｂ画面９ｃの境界線１０ｂのみをレバー８ｅと同一方向に移動させる（ステップＱ２１）。
【００７３】
次に、例えば、図１３（ａ）に示すように、表示器５の表示画面に受信メール画面９ｂと送信メール画面９ａとＷｅｂ画面９ｃとが画面３分割表示された状態において、ファンクションキー３の複写キーが操作されると（ステップＱ２２）、複写元の画面の動作モードをレバー操作部８のモード切換操作で起動して（ステップＱ２３）、複写元の画面における複写すべき領域をファンクションキー３の組合せキー操作で指定する（ステップＱ２４）。
【００７４】
次に、複写先の画面の動作モードをレバー操作部８のモード切換操作で起動して（ステップＱ２５）、複写先の画面における複写すべき位置をファンクションキー３の組合せキー操作で指定する（ステップＱ２６）。そして、複写先の画面における複写すべき位置に複写元の画面の指定された領域の情報を書込む（ステップＳ２７）。
【００７５】
このように構成された第３実施形態の携帯端末においては、動作モード設定時に表示器５の表示画面上で作成された受信メール画面９ｂ、送信メール画面９ａ、Ｗｅｂ画面９ｃは各表示メモリ１８、１７、２４に記憶保持されている。そして、表示器５の表示画面に分割表示される。
【００７６】
したがって、動作モードを「送信メール作成モード」にレバー操作部８ｄで、切換設定することによって、先に受信された受信メール画面９ｂ、先に検索されたＷｅｂ画面９ｃを参照しながら送信メールの作成が可能となる。
【００７７】
さらに、表示器５の送信メール画面９ａで電子メールを作成している過程で、先に受信された受信メール画面９ｂやＷｅｂ画面９ｃの一部を、送信メール画面９ａに複写できるので、操作性をより一層向上できる。
【００７８】
さらに、一つのレバー操作部８で、３つの動作モードの切換、表示画面における、３つの画面９ａ、９ｂ、９ｃの３分割表示における各境界線１０ａ、１０ｂのそれぞれ独立した位置移動制御が可能であるので、操作性をより一層向上できる。
【００７９】
なお、本発明は上述した各実施形態に限定されるものではない。例えば携帯端末本体１ａの裏面７に設けた複合操作部を操作者が指で触れて移動量を入力するタッチパッドで構成することが可能である。
【図面の簡単な説明】
【００８０】
【図１】本発明の第１実施形態に係わる携帯端末を示す図。
【図２】同実施形態の携帯端末の概略構成を示すブロック図。
【図３】同実施形態の携帯端末の表示切換動作を示す流れ図。
【図４】同じく同実施形態の携帯端末の表示切換動作を示す流れ図。
【図５】同実施形態の携帯端末における表示器の表示内容を示す図。
【図６】同じく同実施形態の携帯端末における表示器の表示内容を示す図。
【図７】本発明の第２実施形態に係わる携帯端末の概略構成を示すブロック図。
【図８】同実施形態の携帯端末における表示器の表示内容を示す図。
【図９】本発明の第３実施形態に係わる携帯端末を示す図。
【図１０】同実施形態の携帯端末の概略構成を示すブロック図。
【図１１】同実施形態の携帯端末の表示切換動作を示す流れ図。
【図１２】同じく同実施形態の携帯端末の表示切換動作を示す流れ図。
【図１３】同実施形態の携帯端末における表示器の表示内容を示す図。
【符号の説明】
【００８１】
１…携帯端末、１ａ…携帯端末本体、１ｃ…カバー、２…入力キー、３…ファンクションキー、５…表示器、７…裏面、８…レバー操作部、８ｂ，８ｅ…レバー、９ａ…受信メール画面、９ｂ…送信メール画面、９ｃ…Ｗｅｂ画面、１０，１０ａ，１０ｂ…境界線、１１，１１ａ、１１ｂ…制御装置、１２…送受信部、１３…通話部、１４，１４ａ…動作モード切換部、１５…送信メール作成部、１６…受信メール処理部、１７…送信メール表示メモリ、１８…受信メール表示メモリ、１９，１９ａ…表示制御部、２０．２０ａ…境界線移動制御部、２１…画面間表示情報複写部、２２ａ…領域、２２ｂ…位置、２３…Ｗｅｂアクセス部、２４…Ｗｅｂ情報表示メモリ
【図１】
2007318423.tif 000003
【図２】
2007318423.tif 000004
【図３】
2007318423.tif 000005
【図４】
2007318423.tif 000006
【図５】
2007318423.tif 000007
【図６】
2007318423.tif 000008
【図７】
2007318423.tif 000009
【図８】
2007318423.tif 000010
【図９】
2007318423.tif 000011
【図１０】
2007318423.tif 000012
【図１１】
2007318423.tif 000013
【図１２】
2007318423.tif 000014
【図１３】
2007318423.tif 000015